(57)【要約】      （修正有）【課題】手が届かない所でも棒状の工具を用いて容易に操作して、バルブを開閉することができるバルブの開閉レバーを提供する。【解決手段】バルブ１の弁体に接続された弁軸３に一端部に結合され、棒状の工具６の先端部の両側に設けた引掛片８に係合可能な操作部９が他端部に設けられている。工具６の引掛片８を操作部９に係合させて、工具６を押したり引いたりする操作で開閉レバーを回動させることができ、狭く手が届かない所にバルブ１が設置されている場合でも、工具６を用いてバルブ１を容易に開閉操作することができる。【選択図】図４
0003213683.tif 000002
【実用新案登録請求の範囲】
【請求項１】
バルブの弁体に接続された弁棒に一端部が結合され、棒状の工具の先端部の両側に設けた引掛片に係合可能な操作部が他端部に設けられた開閉レバーであって、操作部はレバーの略延長方向に延びる一対の前係止片と一対の後係止片とを備えて形成されると共に一対の前係止片の先端間には係合片が架設されており、前係止片と後係止片の間隔は工具の先端部及び引掛片を差し込むことができる寸法に、一対の後係止片の間隔は工具の先端部及び引掛片をその先端部から差し込むことができる寸法で且つ引掛片の先端間の寸法よりも小さい寸法に、一対の前係止片の間隔は工具の引掛片をその先端部から差し込むことができる寸法で且つ引掛片の先端間の寸法よりも小さい寸法に、前係止片の高さは工具の引掛片をその先端部から差し込むことができる寸法に、それぞれ形成されていることを特徴とするバルブの開閉レバー。
【請求項２】
開閉レバーの回動方向の両面に、バルブの開閉状態を示す表示が設けられていることを特徴とする請求項１に記載のバルブの開閉レバー。
【請求項３】
上記バルブはマンホール内に配置して使用されるものであり、上記工具はマンホールの蓋を開く際に用いられるバールであることを特徴とする請求項１又は２に記載のバルブの開閉レバー。
【考案の詳細な説明】
【技術分野】
【０００１】
本考案は、消火栓等の基部に設けられる点検・補修用のバルブを開閉操作をするためのレバーに関するものである。
【背景技術】
【０００２】
消火栓には上水や下水などの給水配管から水が供給されるが、消火栓の基部にバルブを取り付け、給水配管からの水はこのバルブを通して消火栓に供給されるようになっている。そして消火栓の点検・修理などを行なう際には、このバルブを閉じることによって消火栓への給水を停止することができる（例えば特許文献１参照）。
【０００３】
図６は上記のような消火栓の下部に取り付けられるバルブ１の一例を示すものであり、上下に開口する弁箱１５内にボール弁体２を設けて形成されるものである。弁箱１５は主弁箱１５ａと副弁箱１５ｂからなるものであり、弁箱１５の側部に弁軸３が水平に挿通してある。弁軸３の一方の先端部を弁体２に結合固定すると共に、弁軸３の他方の先端部を弁箱１５の側方に突出させてあり、弁軸３を軸回りに回動操作することによって、弁体２を回動させてバルブ１を開閉することができるようにしてある。図６において１６は主弁箱１５ａと副弁箱１５ｂを結合するボルト、１７は弁座、１８はグランド、１９はグランド１８を弁箱１５に結合固定するボルトである。また図６において２０はハンドル２１とその基部の連結板２２から形成される開閉レバーであり、弁軸３の先端部の結合片３ａに連結板２２に設けた結合孔２７を被挿して嵌め込むことによって、弁軸３に開閉レバー２０が装着してある。
【０００４】
上記のバルブ１の上に消火栓が取り付けられるものであり、バルブ１の下側に継ぎ管などを介して給水配管が接続されるものである。常時は図６（ｂ）に示すように、弁体２の開口３５は上下を向いており、給水配管から消火栓に通水される状態にある。このときの開閉レバー２０の向きは図６（ａ）に実線で示す傾斜状態になっている。そして、消火栓の点検・修理などを行なう際には、開閉レバー２０のハンドル２１を手で握って矢印のように回動操作し、想像線で示す向きになるまで９０度の角度で回動させる。このように開閉レバー２０を手で回動操作して弁軸３を回動させて、弁体２を９０度の角度で回動させると、弁体２の開口３５は横方向を向くので、給水配管から消火栓への通水は弁体２で遮断される。このように開閉レバー２０を手で握って回動操作することによって、バルブ１を開閉することができるものである。
【先行技術文献】
【特許文献】
【０００５】
【特許文献１】特開２００１−４６５４２号公報
【考案の概要】
【考案が解決しようとする課題】
【０００６】
上記の消火栓は、地中、例えばマンホール内などに設置されることが多い。このように消火栓が狭いマンホール内に設置される場合には、上記のバルブ１の開閉操作は地面の開口からマンホール内に手を差し入れて行なうことになるが、消火栓の下側に位置するバルブ１の開閉レバー２０には手が届かないことが多く、バルブ１の開閉操作が困難になるものであった。そこで金属管などのパイプを用い、パイプの先端部内に開閉レバー２０の先端部を差し入れ、パイプをマンホールの上の地上から操作して、パイプで開閉レバー２０を回動させることが考えられるが、マンホールの狭い空間の中で傾斜している開閉レバー２０をパイプの先端部内に差し入れるようにすることは角度的に無理があり、パイプを用いて開閉レバー２０を操作することも困難であった。
【０００７】
本考案は上記の点に鑑みてなされたものであり、手が届かない所でも工具を用いて容易に操作して、バルブを開閉することができる開閉レバーを提供することを目的とするものである。
【課題を解決するための手段】
【０００８】
本考案に係るバルブの開閉レバーは、バルブ１の弁体２に接続された弁軸３に一端部が結合され、棒状の工具６（図３（ａ）（ｂ）に示す）の先端部の両側に設けた引掛片８に係合可能な操作部９（図１及び図２に示す）が他端部に設けられた開閉レバーＬであって、操作部９はレバー５の略延長方向に延びる一対の前係止片１０と一対の後係止片１１とを備えて形成されると共に一対の前係止片１０の先端間には係合片１２が架設されており、前係止片１０と後係止片１１の間隔は工具６の先端部及び引掛片８を差し込むことができる寸法に、一対の後係止片１１の間隔は工具６の先端部及び引掛片８をその先端部から差し込むことができる寸法で且つ引掛片８の先端間の寸法よりも小さい寸法に、一対の前係止片１０の間隔は工具６の引掛片８をその先端部から差し込むことができる寸法で且つ引掛片８の先端間の寸法よりも小さい寸法に、前係止片１０の高さは工具６の引掛片８をその先端部から差し込むことができる寸法に、それぞれ形成されていることを特徴とするものである。
【０００９】
開閉レバーＬに設けた操作部９を、一対の前係止片１０と、一対の後係止片１１と、一対の前係止片１０の先端間に架設した係合片１２とで形成することによって、先端部の両側に引掛片８を設けて形成した棒状の工具６を用い、工具６の引掛片８を操作部９に係合させて、工具６を押したり引いたりする遠隔操作で開閉レバーＬを回動させることができるものであり、狭く手が届かない所にバルブ１が設置されている場合でも、工具６を用いてバルブ１を容易に開閉操作することができるものである。
【００１０】
また本発明において、開閉レバーＬの回動方向の両面に、バルブ１の開閉状態を示す表示１３が設けられていることを特徴とするものである。
【００１１】
バルブ１を開閉するために開閉レバーＬを回動させると、開閉レバーＬの回動方向の両面のうち一方が上側になるので、この上側に露出する表示１３でバルブ１が開状態にあるか閉状態にあるかを上方から容易に確認することができるものである。
【００１２】
上記バルブ１はマンホール内に配置して使用されるものであり、上記工具６はマンホールの蓋１４（図３（ｃ）に示す）を開く際に用いられるバールであることを特徴とするものである。
【００１３】
マンホールの蓋１４を開くバールを、バルブ１の開閉レバーＬを回動操作する工具６とすることによって、作業現場においてマンホールの蓋１４を開くために使用したバールをそのまま工具６として用いて開閉レバーＬを回動操作することができるものであり、開閉レバーＬを回動操作するための特別な工具６を準備する必要がなくなるものである。
【考案の効果】
【００１４】
開閉レバーＬのレバー５に設けた操作部９を、一対の前係止片１０と、一対の後係止片１１と、一対の前係止片１０の先端間に架設した係合片１２とで形成することによって、先端部の両側に引掛片８を設けて形成した棒状の工具６を用い、工具６の引掛片８を操作部９に係合させて、工具６を押したり引いたりする遠隔操作で開閉レバーＬを回動させることができるものであり、狭く手が届かない所にバルブ１が設置されている場合でも、工具６を用いてバルブ１を容易に開閉操作することができるものである。
【００１５】
またマンホールの蓋１４を開くバールを、バルブ１の開閉レバーＬを回動操作する工具６として使用することによって、作業現場においてマンホールの蓋１４を開くために使用したバールをそのまま用いて開閉レバーＬを回動操作することができ、開閉レバーＬを回動操作するための特別な工具６を準備するような必要がなくなるものである。
【図面の簡単な説明】
【００１６】
【図１】本考案の実施の形態に使用する開閉レバーの斜視図である。
【図２】同上の開閉レバーを示すものであり、（ａ）は正面図、（ｂ）は断面図、（ｃ）は左側面図、（ｄ）は右側面図である。
【図３】本考案の実施の形態で使用する工具を示すものであり、（ａ）は正面図、（ｂ）は先端部の拡大斜視図、（ｃ）はマンホールの蓋の一部の斜視図である。
【図４】本考案の実施の形態において、バルブの開閉レバーを閉操作する手順を示す正面図である。
【図５】本考案の実施の形態において、バルブの開閉レバーを開操作する手順を示す正面図である。
【図６】従来例を示すものであり、（ａ）は正面図、（ｂ）は側面断面図である。
【考案を実施するための形態】
【００１７】
以下、本考案の実施の形態を説明する。
【００１８】
図１及び図２は本考案に係る開閉レバーＬの一例を示すものであり、略１３５度の角度でく字型に屈折したレバー５の一端部に連結部４を形成すると共に、レバー５の他端部に操作部９を一体に設けて金属材料により形成してある。
【００１９】
開閉レバーＬの連結部４は円形に形成してあり、四角形など角型に形成される結合孔２７が表裏に貫通するように設けてある。レバー５のく字型の基部側の両側面には、バルブ１の開閉状態を示す表示１３が設けてある。両側の表示１３のうち、一方はバルブ１の開状態を示す開表示１３ａとして形成されるものであり、他方はバルブ１の閉状態を示す閉表示１３ｂとして形成されるものである。開表示１３ａは、例えば図１及び図２（ｃ）に示すように、大きなアルファベット文字「Ｏ」と、小さなアルファベット文字「Ｓ」と、その間の三角矢印とで形成してある。また閉表示１３ｂは、例えば図２（ｄ）に示すように、大きなアルファベット文字「Ｓ」と、小さなアルファベット文字「Ｏ」と、その間の三角矢印とで形成してある。さらに図１及び図２（ａ）に示すように、レバー５の連結部４の表面に矢印図形からなる表示１３ｃが形成してある。尚、この表示１３ｃはレバー５の連結部４の表裏両面に形成してあり、開閉レバーＬを表裏に裏返していずれの向きでもバルブ１の弁軸３に装着して使用できるようにしてある。
【００２０】
操作部９は、レバー５の先端に一体に設けた基板部２６に形成してある。基板部２６はレバー５の長手方向と垂直な板状に形成されるものであり、基板部２６の開閉レバーＬの回動方向での各端部において、一対の前係止片１０と一対の後係止片１１がそれぞれ一体に突設してある。前係止片１０は、バルブ１を開状態から閉状態に切り替えるために開閉レバーＬを回動させる際の、回動の前側の位置に配置されるものであり、後係止片１１は回動の後側に配置されるものである。また一対の前係止片１０と一対の後係止片１１はそれぞれ対向して配置されるものであり、対向する前係止片１０と後係止片１１は図２（ａ）のようにＵ字型に連続するように形成してある。前係止片１０と後係止片１１はそれぞれレバー５の延長方向に延びるように、略平行に形成されるものであり、後係止片１１の前係止片１０に対向する側の先端部には突部２４が突設してある。そして一対の前係止片１０の先端間には係合片１２が一体に架け渡して設けてある。
【００２１】
開閉レバーＬに設けた上記の操作部９の形状・寸法は、開閉レバーＬを回動操作するために使用する工具６に対応して決められるものであり、本考案において使用する工具６の一例を図３に示す。図３（ａ）（ｂ）に示す工具６は、マンホールの蓋１４を開くために使用されるバールをそのまま用いるものであり、金属製の長い棒部７と、棒部７の先端の引掛片８とを備えて形成されており、棒部７にはハンドル部２９が直交して設けてある。引掛片８は棒部７の先端にやや屈曲して設けた首部３０を介して一体に設けられるものであり、首部３０の両側に引掛片８を突出させて、首部３０と引掛片８とでＴ字型になるように形成してある。マンホールの蓋１４を開く作業は、蓋１４の周端部に図３（ｃ）に示すように形成されている穴３２に引掛片８を差し込んで引掛け係合し、ハンドル部２９を握って引き上げることによって、行なうことができる。
【００２２】
上記の工具６を用いて開閉レバーＬを回動操作できるようにするため、開閉レバーＬの操作部９の一対の前係止片１０と一対の後係止片１１の間隔Ｄ１は、棒部７の先端部の首部３０と引掛片８を差し込むことができる寸法、すなわち棒部７の先端部の首部３０の径と引掛片８の厚みＴ１及び縦幅Ｔ２より大きい寸法に形成してある。また一対の後係止片１１の間隔Ｄ２は、棒部７の先端部の首部３０を差し込むことができると共に、引掛片８をその先端部から差し込むことができ、且つ各後係止片１１に首部３０の両側の引掛片８が引掛かる寸法、すなわち棒部７の先端部の首部３０の径よりも大きいと共に引掛片８の厚みＴ１より大きく、且つ首部３０の両側の引掛片８の先端間の寸法Ｔ３よりも小さい寸法に形成してある。さらに一対の前係止片１０の間隔Ｄ３は、各前係止片１０に工具６の両側の引掛片８が引掛かり、且つ工具６の引掛片８をその先端部から差し込むことができる寸法、すなわち引掛片８の先端間の寸法Ｔ３よりも小さく、且つ引掛片８の厚みＴ１より大きい寸法に形成されるものであり、また一対の前係止片１０の高さ寸法Ｄ４は、引掛片８の縦幅Ｔ２より大きい寸法に形成して、係合片１２の下側に工具６の引掛片８をその先端部から差し込むことができるようにしてある。
【００２３】
本発明に係る開閉レバーＬは、消火栓等の基部に取り付けられる点検・補修用のバルブ１に、図４や図５に示すように装着して使用されるものである。このバルブ１の構造は図６に示すものと同じであるので説明は省略するが、弁体２を回動させる弁軸３の一端の結合片３ａが弁箱１５の側部に突出しており、この弁軸３の結合片３ａに開閉レバーＬの結合孔２７を被挿して嵌合させることによって、バルブ１に開閉レバーＬが取り付けてある。そしてこのバルブ１は消火栓等の基部に取り付けた状態でマンホール内に配置されている。
【００２４】
点検・補修用のバルブ１は、通常時は、上水や下水などの給水配管からの水がバルブ１を通して消火栓等に供給されるように全開状態になっており、全開状態では図４（ａ）のように、開閉レバーＬはレバー５の先部が垂直に上方を向く姿勢になっている。このとき、開閉レバーＬのく字型に屈曲するレバー５の基部は約４５度の角度に傾斜しており、レバー５の片側の側面が上を向くようになっている。この上を向く側面には図２（ｃ）に示す、大きなアルファベット文字「Ｏ」と、小さなアルファベット文字「Ｓ」と、その間の三角矢印からなる開表示１３ａが設けられている。大きなアルファベット文字「Ｏ」はバルブ１が開状態（Ｏｐｅｎ）であることを示すものであり、バルブ１が開状態であることをマンホールの上から容易に確認できるものである。また小さなアルファベット文字「Ｓ」は閉（Ｓｈｕｔ）を示すものであり、バルブ１を閉じるためには三角矢印の方向に回動すれば良いことを表示するものである。尚、大きなアルファベット文字「Ｏ」で囲まれた部分に着色を施しておけば、バルブ１が開状態であることをより容易に確認することができるものである。またこのとき、開閉レバーＬの連結部４に設けた表示１３ｃの矢印図形は上を向いており、バルブ１の弁体２の開口３５が上下に向いて開状態であることを示している。
【００２５】
そして消火栓等を点検・補修する際に、給水配管から水が消火栓等に供給されないようにバルブ１を閉じるにあたっては、図３（ａ）（ｂ）に示す工具６をマンホール内に上から差し入れ、図４（ａ）に示すように、工具６の棒部７の先端部の首部３０と引掛片８を開閉レバーＬの操作部９の前係止片１０と後係止片１１の間に差し込む。そして引掛片８を一対の後係止片１１に当接させた状態で棒部７の首部３０を前係止片１０の上端に架け渡した係合片１２に当接させ、図４（ａ）の矢印のように工具６を倒すように回動すると、引掛片８を支点として棒部７の首部３０で係合片１２が押されるので、開閉レバーＬは図４（ｂ）のように３０度程度の角度で回動される。
【００２６】
次に、工具６を立てるように逆向きに回動した後、図４（ｃ）の矢印のように工具６を斜め下方に押し下げると、工具６の先端の両側の引掛片８で開閉レバーＬの前係止片１０を押圧して、開閉レバーＬをさらに回動させることができるものであり、棒部７の首部３０が後係止片１１間に差し込まれるまで、工具６のこの押し下げを最後まで行なうと、図４（ｄ）のように開閉レバーＬはレバー５の先部が水平になる。開閉レバーＬをこのように先部が水平になるまで回動してバルブ１内の弁体２を回すことによって、バルブ１を全閉状態にすることができるものである。
【００２７】
ここで、開閉レバーＬのく字型に屈曲するレバー５の基部は約４５度の角度に傾斜しているので、レバー５の片側の側面が上を向いている。この上を向く側面には図２（ｄ）に示す、大きなアルファベット文字「Ｓ」と、小さなアルファベット文字「Ｏ」と、その間の三角矢印からなる閉表示１３ｂが設けられている。大きなアルファベット文字「Ｓ」はバルブ１が閉状態（Ｓｈｕｔ）であることを示すものであり、バルブ１が閉状態であることをマンホールの上から容易に確認できるものである。また小さなアルファベット文字「Ｏ」は開（Ｏｐｅｎ）を示すものであり、バルブ１を開くためには三角矢印の方向に回動すれば良いことを表示するものである。このとき、開閉レバーＬの連結部４に設けた表示１３ｃの矢印図形は横を向いており、バルブ１の弁体２の開口３５が横に向いて閉状態であることを示している。
【００２８】
上記のように閉状態にしたバルブ１を再び開くにあたっては、工具６をマンホール内に上から差し入れ、図５（ａ）に示すように、工具６の棒部７の先端部の首部３０を開閉レバーＬの操作部９の後係止片１１間に差し込むと共に，引掛片８を前係止片１０と後係止片１１の間に差し入れて後係止片１１に引掛片８を係止させ、図５（ａ）の矢印のように工具６を引き上げる。工具６をこのように引き上げると後係止片１１が引掛片８に係止されている開閉レバーＬは上方に回動し、図５（ｂ）のようにほぼ半分程度まで開閉レバーＬを回動することができる。このとき、後係止片１１の突部２４に引掛片８が係止し、後係止片１１から引掛片８が外れ難くなるようにしてある。
【００２９】
次に、工具６を開閉レバーＬの操作部９から一旦抜いて、工具６を棒部７の軸回りに９０度回した後、図５（ｃ）に示すように、工具６の一方の引掛片８を係合片１２の下側において一対の前係止片１０の間にその先端部から差し込むと共に他方の引掛片８を一対の後係止片１１間に差し入れる。そして工具６の棒部７を図５（ｃ）の矢印方向に回動させると、係合片１２の下側に差し込んだ引掛片８が係合片１２に係合され、係合片１２を上方へ引き上げる力が働き、開閉レバーＬを回動させることができる。ここで、工具６の棒部７を図５（ｃ）の矢印方向に回動させると、後係止片１１間に差し入れた引掛片８が基板部２６に当接するのでこの箇所を支点として、引掛片８により係合片１２を上方へ引き上げる強い力が作用し、開閉レバーＬを容易に回動させることができるものである。工具６のこの矢印の回動を最後まで行なうと、図５（ｄ）のように開閉レバーＬはレバー５の先部が垂直になる。開閉レバーＬをこのように先部が垂直になるまで回動してバルブ１内の弁体２を回すことによって、図４（ａ）の状態に戻ってバルブ１を全開状態にすることができるものである。
【００３０】
上記のようにして、長い棒部７を有する棒状の工具６を用いて開閉レバーＬを遠隔操作して回動させることによって、バルブ１の開閉を行なうことができるものであり、バルブ１がマンホール内に配置されていて開閉レバーＬに手が届かない場合でも、支障なくバルブ１の開閉を行なうことができるものである。
【００３１】
そしてマンホールの蓋１４を開くためのバールを、バルブ１の開閉レバーＬを回動操作する工具６として使用することによって、作業現場においてマンホールの蓋１４を開くために使用したバールをそのまま用いて開閉レバーＬの回動操作をすることができるものであり、開閉レバーＬを回動操作するための特別な工具６を準備する必要がなくなるものである。勿論、本考案は工具６としてマンホールの蓋１４を開くバールを用いることに制限されるものではなく、開閉レバーＬの操作部９に係合可能な引掛片８を有するものであれば、工具６として使用することができるものである。
【符号の説明】
【００３２】
１  バルブ
２  弁体
３  弁軸
４  連結部
５  レバー
６  工具
７  棒部
８  引掛片
９  操作部
１０  前係止片
１１  後係止片
１２  係合片
１３  表示
１４  マンホールの蓋
【図１】
0003213683.tif 000003
【図２】
0003213683.tif 000004
【図３】
0003213683.tif 000005
【図４】
0003213683.tif 000006
【図５】
0003213683.tif 000007
【図６】
0003213683.tif 000008